(57)【要約】【課題】水や泥等が飛散する環境で使用しても、シールリップの先端をシール溝の内側壁と安定して接触させて、接触シールのシール性を十分に確保できるようにすることである。【解決手段】接触シール５のシールリップ５ｃの先端を、シール溝１ａの内側壁１ｃと対向する外側壁１ｂの上端位置よりも低い接触高さ位置δで内側壁１ｃに接触させることにより、飛散する水や泥等が直接シールリップ５ｃの先端に当たらないようにし、水や泥等が飛散する環境で使用しても、シールリップ５ｃの先端をシール溝１ａの内側壁１ｃと安定して接触させて、接触シール５のシール性を十分に確保できるようにした。【選択図】図３
2006242229.tif 000002
【特許請求の範囲】
【請求項１】
外輪側に接触シールを固定し、この接触シールのシールリップの先端を内輪の外周面に設けたシール溝の内側壁に接触させて、内輪と外輪の間の軸受空間を密封する密封型転がり軸受において、前記接触シールのシールリップの先端を、前記シール溝の内側壁と対向する外側壁の上端位置よりも低い接触位置でシール溝の内側壁に接触させるようにしたことを特徴とする密封型転がり軸受。
【請求項２】
前記接触シールの軸受への組み込み前における前記シールリップ先端の内径寸法を、前記シール溝の外側壁の上端位置の直径よりも小さくした請求項１に記載の密封型転がり軸受。
【発明の詳細な説明】
【技術分野】
【０００１】
本発明は、内輪と外輪の間の軸受空間を接触シールで密封した密封型転がり軸受に関する。
【背景技術】
【０００２】
自動車補機用プーリやエアコンのコンプレッサの電磁クラッチ等に使用される密封型転がり軸受には、外輪側に接触シールを固定し、この接触シールのシールリップの先端を内輪の外周面に設けたシール溝の内側壁に接触させて、内輪と外輪の間の軸受空間を密封するようにしたものがある（例えば、特許文献１参照）。通常、シール溝の内側壁と対向する外側壁の高さは、接触シールの軸受への組み込みを容易にするために、内側壁の高さよりも低くされている。
【０００３】
この種の密封型転がり軸受では、軸受空間への水や泥等の異物の侵入を防止するとともに、軸受空間からのグリース等の潤滑剤の漏れを防止する必要があり、特許文献１に記載されたものでは、シールリップを安定してシール溝の内側壁に接触させるように、その先端を内側壁の断面ストレート部に接触させるようにしている。具体的には、シール溝の内底壁から内側壁にかけて設けられた丸み部の外周端からシールリップの先端が接触する接触点までの距離Ｌを、０．３５ｍｍ＜Ｌ＜３ｍｍとするように設定している。
【０００４】
【特許文献１】特開２００３−３５３１９号公報（第１図）
【発明の開示】
【発明が解決しようとする課題】
【０００５】
特許文献１に記載された密封型転がり軸受は、何も飛散しない平穏な環境では接触シールのシールリップを安定してシール溝の内側壁に接触させることができるが、水や泥等が飛散する環境で使用すると、前述したように、シール溝の外側壁は内側壁よりも低く形成されているので、飛散する水や泥等が直接シールリップの先端に当たる恐れがある。このため、シールリップの先端のシール溝の内側壁との接触が不安定になり、接触シールのシール性を十分に確保できない問題がある。
【０００６】
そこで、本発明の課題は、水や泥等が飛散する環境で使用しても、シールリップの先端をシール溝の内側壁と安定して接触させて、接触シールのシール性を十分に確保できるようにすることである。
【課題を解決するための手段】
【０００７】
上記の課題を解決するために、本発明は、外輪側に接触シールを固定し、この接触シールのシールリップの先端を内輪の外周面に設けたシール溝の内側壁に接触させて、内輪と外輪の間の軸受空間を密封する密封型転がり軸受において、前記接触シールのシールリップの先端を、前記シール溝の内側壁と対向する外側壁の上端位置よりも低い接触位置でシール溝の内側壁に接触させる構成を採用した。
【０００８】
すなわち、接触シールのシールリップの先端を、シール溝の内側壁と対向する外側壁の上端位置よりも低い接触位置でシール溝の内側壁に接触させることにより、飛散する水や泥等が直接シールリップの先端に当たらないようにし、水や泥等が飛散する環境で使用しても、シールリップの先端をシール溝の内側壁と安定して接触させて、接触シールのシール性を十分に確保できるようにした。
【０００９】
前記接触シールの軸受への組み込み前における前記シールリップ先端の内径寸法は、前記シール溝の外側壁の上端位置の直径よりも小さくするとよい。
【発明の効果】
【００１０】
本発明の密封型転がり軸受は、接触シールのシールリップの先端を、シール溝の内側壁と対向する外側壁の上端位置よりも低い接触位置でシール溝の内側壁に接触させることにより、飛散する水や泥等が直接シールリップの先端に当たらないようにしたので、水や泥等が飛散する環境で使用しても、シールリップの先端をシール溝の内側壁と安定して接触させ、接触シールのシール性を十分に確保することができる。
【発明を実施するための最良の形態】
【００１１】
以下、図面に基づき、本発明の実施形態を説明する。この密封型転がり軸受は、図１に示すように、内輪１と外輪２の間に２列のボール３が保持器４に保持された軸受空間を、外輪２の内周面に設けられた係止溝２ａに固定した接触シール５で密封した複列アンギュラ玉軸受である。
【００１２】
図２に示すように、前記接触シール５は芯金５ａと弾性部材５ｂとから成り、内周側に軸方向内向きのシールリップ５ｃが設けられている。軸受への組み込み前におけるシールリップ５ｃの先端の内径寸法ＤＬは、内輪１の外周面に設けられたシール溝１ａの外側壁１ｂの上端位置の直径ＤＩよりも小さくされており、この内径寸法ＤＬと直径ＤＩとの差ＤＬ−ＤＩは、接触シール５を軸受へ容易に組み込めるように、−０．２ｍｍ以上の値とされている。
【００１３】
前記接触シール５が外輪２の係止溝２ａに固定されて軸受に組み込まれると、図３に示すように、そのシールリップ５ｃの先端は、内輪１のシール溝１ａの内側壁１ｃに、これと対向する外側壁１ｂの上端位置よりもδだけ低い接触高さ位置で接触するようになっている。したがって、水や泥等が飛散する環境で軸受を使用しても、これらがシールリップ５ｃの先端に直接当たることはなく、シールリップ５ｃの先端がシール溝１ａの内側壁１ｃと安定して接触する。
【実施例】
【００１４】
上述した密封型転がり軸受としての複列アンギュラ玉軸受を、水と泥の異物が断続的に飛散する環境下で回転試験機に取り付け、前記シールリップ５ｃ先端のシール溝１ａの内側壁１ｃへの接触高さ位置δを変化させたときの軸受空間への異物の侵入量を調査する異物侵入試験を行った。接触高さ位置δは、外側壁１ｂの上端位置よりも低い−０．１ｍｍ、−０．０５ｍｍ（実施例）と、外側壁１ｂの上端位置と同じかこれよりも高い０．０ｍｍ、０．０５ｍｍ、０．１ｍｍ（比較例）とに変化させた。なお、異物の侵入量は、試験前後の軸受の質量増加量Ｗを測定することにより求めた。試験条件は以下の通りである。
・回転速度  ：２０００ｒｐｍ
・試験時間  ：３時間
【００１５】
図４に上記異物侵入試験の結果を示す。この試験結果からも分かるように、シールリップ５ｃ先端の接触高さ位置δを外側壁１ｂの上端位置と同じかこれよりも高くした各比較例のものでは、軸受の質量増加量Ｗが顕著であるのに対して、接触高さ位置δを外側壁１ｂの上端位置よりも低くした各実施例のものは、軸受の質量増加量Ｗが顕著に認められず、異物が殆ど侵入していない。したがって、接触高さ位置δを外側壁１ｂの上端位置よりも低くすることにより、シールリップ５ｃの先端を安定してシール溝１ａの内側壁１ｃに接触させ、異物の侵入を防止して十分なシール性を確保できることが確認された。
【００１６】
上述した実施形態では、密封型転がり軸受を複列アンギュラ玉軸受としたが、本発明に係る密封型転がり軸受は、単列の玉軸受やころ軸受等の他の種類の転がり軸受にも採用することができる。
【図面の簡単な説明】
【００１７】
【図１】密封型転がり軸受の実施形態を示す縦断面図
【図２】図１の接触シールを軸受に組み込む前の状態を示す断面図
【図３】図１の要部を拡大して示す断面図
【図４】異物浸入試験の結果を示すグラフ
【符号の説明】
【００１８】
１  内輪
１ａ  シール溝
１ｂ  外側壁
１ｃ  内側壁
２  外輪
２ａ  係止溝
３  ボール
４  保持器
５  接触シール
５ａ  芯金
５ｂ  弾性部材
５ｃ  シールリップ
【図１】
2006242229.tif 000003
【図２】
2006242229.tif 000004
【図３】
2006242229.tif 000005
【図４】
2006242229.tif 000006